(57)【要約】【課題】  眼鏡使用時に鬱陶しさや装飾性の低下が生じることなく、しかも、胸ポケット等の収納部分がなくても、眼鏡を所望の場所にしっかりと保持することができる眼鏡保持具を提供する。【解決手段】  一対の保持部２，２を有するとともに、この保持部２，２間に折り畳んだ眼鏡５１のつる５２ａ，５２ｂを垂直もしくはほぼ垂直にして挟持する保持クリップＸと、この保持クリップＸに直接または間接的に固定するとともに、衣服等に着脱自在にした止め手段Ｙとからなり、止め手段Ｙを衣服等に装着して眼鏡５１を保持する状態にあるとき、保持クリップＸは、眼鏡５１のつる５２ａ，５２ｂに対して直交もしくはほぼ直交する方向から挟み込む構成にした。【選択図】  図３
2008281703.tif 000002
【特許請求の範囲】
【請求項１】
一対の保持部を有するとともに、この保持部間に折り畳んだ眼鏡のつるを垂直もしくはほぼ垂直にして挟持する保持クリップと、この保持クリップに直接または間接的に固定するとともに、衣服等に着脱自在にした止め手段とからなり、上記止め手段を衣服等に装着して眼鏡を保持する状態にあるとき、上記保持クリップは、眼鏡のつるに対して直交もしくはほぼ直交する方向から挟み込む構成にした眼鏡保持具。
【請求項２】
一対の保持部は、保持クリップの挟み込み方向に沿って互いに線接触または面接触する請求項１記載の眼鏡保持具。
【発明の詳細な説明】
【技術分野】
【０００１】
この発明は、衣服の胸ポケット等から眼鏡が脱落するのを防止する眼鏡保持具に関する。
【背景技術】
【０００２】
眼鏡を衣服の胸ポケット等に入れたまま前屈動作を行うと、胸ポケット等から眼鏡が落下して、レンズ等が傷ついてしまうことがある。このように、眼鏡の脱落防止を目的とした眼鏡保持具として、例えば特許文献１に示すものが従来知られている。
この特許文献１に示す眼鏡保持具は、眼鏡のつるに磁石体を固定するとともに、当該磁石体を固定したつるに、チェーン等を介して吸着体を固定してなる。そして、眼鏡を衣服の胸ポケット等に入れた状態で、上記磁石体と吸着体とによって胸ポケット等の生地を挟持する。
このようにすれば、磁石体と吸着体との吸着力によって、眼鏡が胸ポケット等から脱落するのを防ぐことができる。
【特許文献１】特開２００５−０２４６９６号公報
【発明の開示】
【発明が解決しようとする課題】
【０００３】
上記の眼鏡保持具によれば、磁石体やチェーン、さらにはチェーンに固定した吸着体をも眼鏡のつるに固定しなければならない。言い換えれば、眼鏡を保持するための部材を、眼鏡と一体にして設けなければならない。そのため、眼鏡の使用時において、上記磁石体等が鬱陶しく感じたり、あるいは装飾性が低下してしまったりするという問題があった。
また、磁石体と吸着体とで挟持する衣服等の生地が厚い場合には、挟持力が低下してしまい、前屈動作等をした際に眼鏡が落下してしまうおそれがある。このような場合には磁石体の磁力を強力にしなければならないが、磁力を強力にしようとすると、磁石体が大きくなったりあるいは厚みが増したりして、眼鏡使用時において、一層鬱陶しさが増長するとともに、さらに装飾性を低下させてしまう。
【０００４】
しかも、上記のような眼鏡保持具は、衣服の胸ポケット等、眼鏡の収納部分があることを前提としている。すなわち、衣服の胸ポケット等が眼鏡の保持機能を果たすことを前提としながら、眼鏡保持具は眼鏡の脱落防止機能のみを果たしている。
このように、上記眼鏡保持具は、眼鏡をその場に保持するという保持機能を有しておらず、眼鏡の脱落防止機能のみを有するため、例えば胸ポケット等がない衣服を着用している場合には、当該眼鏡保持具は何ら機能しなくなってしまう。したがって、従来の眼鏡保持具は、衣服等に眼鏡を収納するスペースがないと、結局眼鏡を保持することができなくなってしまうという問題があった。
【０００５】
この発明の目的は、眼鏡使用時に鬱陶しさや装飾性の低下が生じることなく、しかも、胸ポケット等の収納部分がなくても、眼鏡を所望の場所にしっかりと保持することができる眼鏡保持具を提供することである。
【課題を解決するための手段】
【０００６】
第１の発明は、一対の保持部を有するとともに、この保持部間に折り畳んだ眼鏡のつるを垂直もしくはほぼ垂直にして挟持する保持クリップと、この保持クリップに直接または間接的に固定するとともに、衣服等に着脱自在にした止め手段とからなり、上記止め手段を衣服等に装着して眼鏡を保持する状態にあるとき、上記保持クリップは、眼鏡のつるに対して直交もしくはほぼ直交する方向から挟み込む点に特徴を有する。
【０００７】
第２の発明は、上記第１の発明を前提としつつ、一対の保持部が、保持クリップの挟み込み方向に沿って互いに線接触または面接触する点に特徴を有する。
【発明の効果】
【０００８】
第１，２の発明によれば、眼鏡保持具が眼鏡本体から完全に分離して構成されているので、眼鏡使用時に鬱陶しさを感じたり、装飾性が低下したりすることがない。
また、例えば胸ポケット等、眼鏡を収納するスペースがない場合でも、眼鏡を所望の位置に保持することができる。
【発明を実施するための最良の形態】
【０００９】
図１〜図３を用いて、第１実施形態の眼鏡保持具について説明する。
図１，２に示す眼鏡保持具Ａは、保持クリップＸと止め手段Ｙとからなる。保持クリップＸは、一本の鉄製の線材を図示の形状に加工した一般的なクリップで構成している。
具体的には、保持クリップＸは、線材の端部を折り曲げて構成する一対の把持部１，１と、この一対の把持部１，１に連続する一対の保持部２，２と、これら一対の保持部２，２が連続する過程で、上記線材をコイル状にした弾性部３とを備えてなる。上記の構成からなる保持クリップＸは、通常、一対の保持部２，２先端に位置する接触部２ａ，２ａが互いに接触するとともに、一対の把持部１，１が互いに離れる方向に弾性部３の弾性力が作用し、図示の状態に維持される。
なお、ここでは、弾性部３を境にして、図１中右側に位置する部分全体を把持部１，１とし、図１中左側に位置する部分全体を保持部２，２とする。
【００１０】
一方、眼鏡保持具Ａにおける止め手段Ｙは、一般的な安全ピンによって構成している。この止め手段Ｙは、一本の鉄製の線材を加工して、その中央部分にコイル状の弾性部４を形成するとともに、この弾性部４に連続する一対の針状部５ａ，５ｂを同一方向に突出させている。ただし、一対の針状部５ａ，５ｂは、弾性部４の弾性力によって、互いに離れる方向に力が作用している。そして、一方の針状部５ａ先端には、樹脂製の掛止部６を固定するとともに、この掛止部６に、先端を尖らせた他方の針状部５ｂを掛け止め可能にしている。
【００１１】
そして、保持クリップＸにおける一方の把持部１および保持部２と、止め手段Ｙの針状部５ａとを固定手段７によって固定することで、上記保持クリップＸおよび止め手段Ｙを連結している。
なお、上記固定手段７は、保持クリップＸおよび止め手段Ｙを固定することができればどのようなものであってもよい。例えばゴムや紐、あるいは樹脂製または金属製の輪、さらには接着剤等であっても構わない。
【００１２】
次に、第１実施形態における眼鏡保持具Ａの使用方法について説明する。
この眼鏡保持具Ａは、折り畳んだ状態にある眼鏡のつるを、垂直もしくはほぼ垂直にして保持するものである。そのため、眼鏡保持具Ａを衣服等の生地に装着する場合には、その装着方向が限定される。
具体的には、図３に示すように、止め手段Ｙの針状部５ｂを、水平方向（図中ｘ方向）から僅かに傾けた状態で衣服等の生地に装着する。
【００１３】
この状態で、保持クリップＸの把持部１，１をつまむとともに、弾性部３の弾性力に抗して接触部２ａ，２ａが互いに離れる方向に力を作用させる。接触部２ａ，２ａが互いに離れたら、この接触部２ａ，２ａ間に、折り畳んだ眼鏡５１のつる５２ａ，５２ｂを、垂直方向（図中ｙ方向）に沿わせて位置させる。
そして、把持部１，１をゆっくりともとに戻していけば、弾性部３の弾性力によって、接触部２ａ，２ａがつる５２ａ，５２ｂを挟持し、この接触部２ａ，２ａの挟持力によって眼鏡５１をしっかりと保持することができる。
【００１４】
なお、上記のように、止め手段Ｙをｘ方向から僅かに傾けて装着するのは、保持クリップＸの挟み込み方向をｘ方向に一致させるためである。ここでいう保持クリップＸの挟み込み方向とは、眼鏡を保持する際に、静止したつるに対して保持クリップＸを移動させたり、あるいは、静止した保持クリップＸに対して眼鏡のつるを移動させたりする方向のことをいう。
すなわち、この眼鏡保持具Ａにおいては、止め手段Ｙが保持クリップＸに対して僅かに傾いた状態で固定されている。そのため、止め手段Ｙをｘ方向に沿って衣服等に装着すると、接触部２ａ，２ａが垂直方向（ｙ方向）から傾いてしまう。このように、接触部２ａ，２ａが垂直方向から傾いた状態で、眼鏡を保持すると、保持クリップＸの挟み込み方向がｘ方向から僅かに傾いてしまう。
そこで、保持クリップＸの挟み込み方向をｘ方向に一致させるために、止め手段Ｙを僅かに傾けて装着したのである。このように、保持クリップＸの挟み込み方向をｘ方向に一致させれば、つる５２ａ，５２ｂをちょうどｙ方向に沿わせた状態で眼鏡５１を保持することができる。
【００１５】
ただし、眼鏡５１を保持するとき、保持クリップＸの挟み込み方向は、必ずしもｘ方向に一致させなければならないわけではない。言い換えれば、止め手段Ｙを装着したとき、保持クリップＸの挟み込み方向が、垂直にしたつる５２ａ，５２ｂに対して必ず直交しなければならないわけではない。
例えば、図３においては、つる５２ａ，５２ｂを保持部２，２で挟持しているが、つる５２ａ，５２ｂを保持部２，２間に形成される間隔（図中符号Ｌ）に位置させる。そして、保持部２，２に、つる５２ｂとフレーム５３ａとを連結する連結回動部５４を引っ掛けるようにすれば、眼鏡５１を保持することができる。このような方法で眼鏡５１を保持する場合には、保持クリップＸの挟み込み方向が、ｘ方向から多少傾いていても特に問題はない。
したがって、垂直にしたつる５２ａ，５２ｂに対して、ほぼ直交する方向（垂直方向に位置するつる５２ａ，５２ｂが、保持部２，２間に形成される間隔を貫通可能な範囲内）から保持クリップＸを挟み込んでも、眼鏡５１を保持することができる。
【００１６】
上記のように、この発明の眼鏡保持具においては、つる５２ａ，５２ｂが垂直になるようにして眼鏡５１を保持するが、その理由は、眼鏡５１がぐらついて、つる５２ａ，５２ｂが傷つかないようにするためである。
すなわち、つる５２ａ，５２ｂが垂直方向から傾いた状態で保持部２，２に挟持されていると、眼鏡５１は、その自重によって当該保持部２，２の挟持部分を支点に回動して垂直になろうとする。この垂直になろうとする力は、つる５２ａ，５２ｂの傾きが大きくなるほど大きくなる。しかも、眼鏡保持具Ａを衣服に装着して使用する場合には、人の動作に伴って眼鏡保持具Ａが揺動するため、この揺動と、眼鏡５１が垂直になろうとする力とが相俟って、つる５２ａ，５２ｂがぐらついてしまう。このように、保持部２，２に挟持された状態でつる５２ａ，５２ｂがぐらつくと、保持部２，２とつる５２ａ，５２ｂとの接触点に摩擦が生じて、つる５２ａ，５２ｂに傷がついてしまう。
そこで、この眼鏡保持具Ａは、つる５２ａ，５２ｂを予め垂直もしくはほぼ垂直に保持することで、眼鏡５１のぐらつきを小さくし、つる５２ａ，５２ｂが傷つくのを防ごうとしたのである。
【００１７】
上記第１実施形態の眼鏡保持具Ａによれば、止め手段Ｙを安全ピンで構成したので、止め手段Ｙを衣服に装着する場合には、衣服の所望の場所に簡単に装着することができる。しかも、この眼鏡保持具Ａによれば、胸ポケット等の眼鏡を収納するスペースがない場合にもしっかりと眼鏡を保持することができる。
したがって、衣服に装着する場合のみならず、眼鏡を展示する場合等、用途や場所にとらわれることなく様々な場面で用いることができる。
【００１８】
図４，５を用いて第２実施形態の眼鏡保持具について説明する。
図４，５に示す眼鏡保持具Ｂは、保持クリップＸ１と止め手段Ｙとからなるが、この止め手段Ｙは上記第１実施形態と同じ構成である。したがって、上記第１実施形態と同じ構成については、同じ符号を付するとともに、その詳細な説明を省略し、ここでは、保持クリップＸ１の構成を中心に説明することとする。
保持クリップＸ１は、一対の長方形の平板部材１１，１２を、コイルバネからなる弾性体１３によって連結してなる。上記平板部材１１は、屈曲部１１ｃにおいて所定の角度に屈曲し、当該屈曲部１１ｃを境にして一端側（図中左側）を保持部１１ａとし、他端側（コイルバネ１３よりも図中右側）を把持部１１ｂとしている。また、平板部材１２も、その一端側を保持部１２ａとし、他端側（コイルバネ１３よりも図中右側）を把持部１２ｂとしている。
【００１９】
そして、上記平板部材１１，１２には、保持部１１ａ，１２ａが接触するとともに、把持部１１ｂ，１２ｂが互いに離れるようにコイルバネ１３の弾性力を作用させ、保持クリップＸ１が、通常、図示の状態を維持するようにしている。
なお、この眼鏡保持具Ｂの保持クリップＸ１は、その挟み込み方向をｘ方向としており、保持部１１ａ，１２ａは、この挟み込み方向に沿って所定の長さを有している。そして、この保持部１１ａ，１２ａが、挟み込み方向に沿って互いに面接触するようにしている。
また、上記保持部１１ａ，１２ａの接触面には、薄いゴム製の吸収体１４を設け、つるを挟持したときに、つるが摩擦で傷つかないようにしている。
【００２０】
上記平板部材１２には、平板部材１１を固定した面と反対側の面に固定手段１５を設けるとともに、この固定手段１５によって、止め手段Ｙの針状部５ａを固定している。具体的には、固定手段１５は半筒状の凸部で構成するとともに、この凸部に貫通孔を形成し、この貫通孔に針状部５ａを貫通させて固定している。
【００２１】
上記の構成からなる第２実施形態の眼鏡保持具Ｂも、上記第１実施形態の眼鏡保持具Ａと同様、折り畳んだ眼鏡のつるを垂直にした状態で、保持部１１ａ，１２ａに、当該眼鏡のつるを挟持することができる。
しかも、この眼鏡保持部Ｂにおいては、一対の保持部１１ａ，１２ａが、保持クリップＸ１の挟み込み方向（図中ｘ方向）に沿って互いに面接触しているので、上記眼鏡保持具Ａに比べて、眼鏡のつるをしっかりと保持することができる。
また、一対の保持部１１ａ，１２ａが、保持クリップＸ１の挟み込み方向に沿って面接触するので、眼鏡のつるが垂直方向から多少傾いたとしても、当該つるをしっかりと保持することができる。
このように、眼鏡のつるが垂直方向から多少傾いた状態で保持されて、自重によって眼鏡が垂直方向になろうとしても、保持部１１ａ，１２ａには吸収体１４を設けているので、つるが摩擦によって傷つくことがない。
なお、上記第２実施形態においては、一対の保持部１１ａ，１２ａが、保持クリップＸ１の挟み込み方向に沿って面接触する構成としたが、挟み込み方向に沿って線接触する構成としてもよい。このようにしても、眼鏡を安定的に保持することができる。
【００２２】
図６を用いて第３実施形態の眼鏡保持具について説明する。
図６に示す眼鏡保持具Ｃは、保持クリップＸ１と止め手段Ｙ１とからなるが、この保持クリップＸ１は上記第２実施形態と同じ構成である。したがって、上記第２実施形態と同じ構成については、同じ符号を付するとともに、その詳細な説明を省略し、ここでは、止め手段Ｙ１の構成を中心に説明することとする。
止め手段Ｙ１は、上記平板部材１１，１２とほぼ同じ厚さを有する平板状の挟み板材１６と、この挟み板材１６に固定したコイルバネからなる弾性体１７とによって構成されている。上記弾性体１７は、平板部材１２であって、上記平板部材１１を固定した面の反対面に固定されている。したがって、止め手段Ｙ１は、弾性体１７によって保持クリップＸ１に固定されていることとなる。
そして、上記挟み板材１６の挟持部１６ａが、上記平板部材１２の面に接触するように、弾性体１７の弾性力を作用させている。
【００２３】
この眼鏡保持具Ｃも、保持クリップＸ１の挟み込み方向が水平方向（ｘ方向）となるように、挟持部１６ａと平板部材１２との間に衣服等の生地を挟んで、衣服等に眼鏡保持具Ｃを装着する。
そして、折り畳んだ眼鏡のつるを垂直にした状態で、当該つるを一対の保持部１１ａ，１２ａ間に挟持させれば、上記第２実施形態と同様に眼鏡をしっかりと保持することができる。
【００２４】
図７を用いて第４実施形態の眼鏡保持具について説明する。
図７に示す眼鏡保持具Ｄは、上記保持クリップＸ１と止め手段Ｙ１とを連結部材を介して間接的に固定した点のみ第３実施形態と異なり、その他の構成は上記第３実施形態と全て同じである。
したがって、上記第３実施形態と同じ構成については、同じ符号を付するとともに、その詳細な説明を省略し、ここでは、保持クリップＸ１と止め手段Ｙ１の連結構造について説明することとする。
【００２５】
保持クリップＸ１を構成する平板部材１２には、平板部材１１を固定した面の反対面に、薄い板状の連結部材１８を固定している。この連結部材１８は、平板部材１１，１２に対して直交して固定されるとともに、垂直方向（ｙ方向）に突出して設けられている。
そして、この連結部材１８に、止め手段Ｙ１を構成するコイルバネからなる弾性体１７および挟み板材１６を固定している。つまり、連結部材１８を介して保持クリップＸ１と止め手段Ｙ１とを間接的に固定している。
この眼鏡保持具Ｄも、保持クリップＸ１の挟み込み方向が水平方向（ｘ方向）となるように、挟持部１６ａと平板部材１２との間に衣服等の生地を挟んで、衣服等に眼鏡保持具Ｃを装着する。
そして、折り畳んだ眼鏡のつるを垂直にした状態で、当該つるを一対の保持部１１ａ，１２ａ間に挟持させれば、上記第３実施形態と同様に眼鏡をしっかりと保持することができる。
【００２６】
また、図８に示す第５実施形態の眼鏡保持具Ｅのように、上記第４実施形態における止め手段Ｙ１の代わりに、止め手段Ｙを固定しても構わない。
いずれにしても、保持クリップや止め手段の構成に関わらず、両者を直接または間接的に固定すれば、眼鏡をしっかりと保持することができる。
【図面の簡単な説明】
【００２７】
【図１】第１実施形態の眼鏡保持具Ａの正面図である。
【図２】第１実施形態の眼鏡保持具Ａの斜視図である。
【図３】第１実施形態の眼鏡保持具Ａの使用状態を示す図である。
【図４】第２実施形態の眼鏡保持具Ｂの正面図である。
【図５】第２実施形態の眼鏡保持具Ｂの斜視図である。
【図６】第３実施形態の眼鏡保持具Ｃの斜視図である。
【図７】第４実施形態の眼鏡保持具Ｄの斜視図である。
【図８】第５実施形態の眼鏡保持具Ｅの斜視図である。
【符号の説明】
【００２８】
２              保持部
Ａ〜Ｅ          眼鏡保持具
Ｘ，Ｘ１        保持クリップ
Ｙ，Ｙ１        止め手段
５１            眼鏡
５２ａ，５２ｂ  つる
【図１】
2008281703.tif 000003
【図２】
2008281703.tif 000004
【図３】
2008281703.tif 000005
【図４】
2008281703.tif 000006
【図５】
2008281703.tif 000007
【図６】
2008281703.tif 000008
【図７】
2008281703.tif 000009
【図８】
2008281703.tif 000010